(57)【要約】      （修正有）【課題】アーチェリーや拳銃において、「動的センターショット」得るための、グリップオフセット調整方法を提供する。【解決手段】「動的センターショット」を達成する為にはグリップ２を左右にオフセットする事が必要である。３種類の厚さのスペーサー１，２，３を組み合わせてグリップ２とハンドル１の間に挿入することで、グリップ２を左右に７段階オフセットすることができる。その結果として「動的センターショット」の調整された弓を誰もが使うことができる。【選択図】図２
2010261648.tif 000002
【特許請求の範囲】
【請求項１】
アーチェリーの弓の於けるグリップの取り付け方法に関して、そのグリップとハンドルの間を広く取り、隙間を埋めるためにスペーサーを取り付ける。その際スペーサーは厚さの比率を約１：約２：約３とし、その組み合わせで7段階の調整を可能とする事を目的とし、「動的センターショット」を得たアーチェリー弓用グリップオフセットスペーサー。
【請求項２】
拳銃のグリップの取り付け方法に関して、そのグリップとハンドルの間を広く取り、隙間を埋めるためにスペーサーを取り付ける。その際スペーサーは厚さの比率を約１：約２：約３とし、その組み合わせで7段階の調整を可能とする事を目的とし、発射時に左右のブレを生じないようにした拳銃用グリップオフセットスペーサー。
【発明の詳細な説明】
【技術分野】
【０００１】
アーチェリーのグリップ及び拳銃のグリップに関するオフセット技術          
【背景技術】
【０００２】
現在までアーチェリーの弓は第4世代まで進化している。第1世代：シングルボウ（ワンピースボウ）ハンドル（riser）とリム（limbs）が一体物であり、弓の強さを変更する場合には弓全体を交換する必要があった。〜1970年頃。
【０００３】
第2世代：テイクダウンボウ（分解式ボウ）ハンドルとリムを別々に作り、ハンドルはマグネシウム合金の鋳造製に、リムは木とグラスファイバーのラミネート式になった。その後、木とカーボンのラミネート式になった。弓の強さを変える場合にリムだけ交換すれば良い事になり、ユーザー側からもメーカー側からも好評であった。（メーカーは売れ筋の弓を大量に作り不良在庫を減らすことになった。1970年頃〜現在。
【０００４】
第3世代：ポンド調整機構付きボウ（引き重量を表す時に未だに「ポンド」を使う）。引き重量を表示ポンドから約10％調整可能となり、初心者が最初は弱めにして技量の上達と共に引き重量を上げて使えるようになった。メーカー側は今まで1ポンド刻みで作っていたリムを2ポンド刻みで作れば良い事になり、不良在庫を減らす事になった。1979年頃〜現在。
【０００５】
第4世代：それまで独自のジョイント方式を貫いていたNISHIZAWA 、YAMAHAが立て続けにアーチェリー業界から撤退することで、HOYT（USA）のジョイント方式がディファクトスタンダードとなり、現在、各社はHOYT互換性形状のリムを作成するようになった。このため「A社のハンドルにB社、C社のリムを組み合わせる」事が多くなり、今まではメーカーが出荷前に自分で「静的センターショット」調整をしてから出荷していたものが、全くコントロールできなくなった。仕方なくメーカーは「静的センターショット」調整をユーザーに委ねるようになり、リムの受け部分をねじで左右に動かして、又はリムの先端を偏心ロケーターにより左右に動かすことにより、無理やり「静的センターショット」を確保するようになった。1996年頃〜現在
【０００６】
第5世代では「静的センターショット」だけでなく「動的センターショット」を得る事が今後の記録更新への鍵になる。
【０００７】
現状の弓は「静的センターショット」は調整できるが、「動的センターショット」を整する機能が無かった。本発明は「動的センターショット」を提供するものである。
【０００８】
また、本技術は拳銃のグリップにも応用が出来るため、発射時の左右のブレを減少させることが出来る。
US-Patent 07/818,166（出願人：Precision Shooting Equipment社）にあるようにグリップオフセットのアイデアは古くからあった。ただしその頃の技術では「押し腕（Bow arm）」の向きと「矢（Arrow）」の向きを合わせるためにグリップ部分にShim（薄板）を入れるか、ねじで取り付け角度を変えるかを記述している。その当時はまだ「動的センターショット（Dynamic Center Shot）」の概念が無かったため、PSE社はこの技術を数年で放棄して、現在、彼ら（PSE）の弓にはグリップオフセット機構は付いていない。
07/881,196（出願人：Precision Shooting Equipment）でも同様にShimを入れるなり、ねじを使うなりの方法でグリップをオフセットする方法を述べているが、「Dynamic Center Shot」の概念はこの特許には書かれていない。
【先行技術文献】
【特許文献】
【０００９】
【特許文献１】US-Patent 07/818,166
【特許文献２】US-Patent 07/881,196
【発明の概要】
【発明が解決しようとする課題】
【００１０】
今までは調整不可能であった、「動的センターショット」の調整を可能とすることで、今までよりもシューティングの精度を上げることが出来る。また、以前の発明では煩雑であったネジによる固定より簡単で、正確なオフセット調整が出来る。なおかつ、それぞれのスペーサーの組み合わせを変える事により、左右7段階のオフセットポジション調整を可能とする。
【課題を解決するための手段】
【００１１】
ハンドルの厚さよりグリップの溝を大きく取り、その隙間をスペーサーと呼ばれる板を挟む事により、グリップをハンドルにしっかり取り付ける。この際スペーサーの組み合わせにより、
左側                                        右側
約０                  ：                    約１＋約２＋約３＝約６
約１                  ：                    約２＋約３＝約５
約２                  ：                    約１＋約３＝約４
約３                  ：                    約１＋約２＝約３
約１＋約３＝約４      ：                    約２
約２＋約３＝約５      ：                    約１
約１＋約２＋約３＝約６：                    約０
の7段階のオフセット位置を確保できる。
【発明の効果】
【００１２】
この発明は、グリップ部分とハンドル部分の間にスペーサーを挟み、その組み合わせにより7段階のオフセットポジションが得られ、その結果として「動的センターショット」が得られる。「動的センターショット」は今まで考えられていなかった、道具に関する欠陥であり、本発明を以ってアーチェリーの弓は完成される。今まで道具の為、損失していたスコアーも今後はこの発明により無くなる物と思われる。   
【図面の簡単な説明】
【００１３】
【図１】ハンドルとグリップの位置関係を示す説明図
【図２】グリップ部分の水平断面図
【図３】ドローイング前後の上面図
【発明を実施するための形態】
【００１４】
現状の弓では「静的センターショット」は出せるようになったが、「静的センターショット」だけでは完全ではない事が判ってきた。実際に弓を引いてきた場合のセンターショット「動的センターショット」が必要になってきた。「動的センターショット」を達成する為にはグリップを左右にオフセットする事が必要になり、簡単な方法で小刻みに調整できる方法が必要になって来た。本発明は簡単なスペーサーを組み合わせることにより7段階の左右調整を可能にする技術である。
ハンドルの厚さよりグリップの溝を大きく取り、その隙間をスペーサーと呼ばれる板を挟む事により、グリップをハンドルにしっかり取り付ける。この際スペーサーの組み合わせにより、
左側                                        右側
約０                  ：                    約１＋約２＋約３＝約６
約１                  ：                    約２＋約３＝約５
約２                  ：                    約１＋約３＝約４
約３                  ：                    約１＋約２＝約３
約１＋約３＝約４      ：                    約２
約２＋約３＝約５      ：                    約１
約１＋約２＋約３＝約６：                    約０
の7段階のオフセット位置を確保できる。
【００１５】
図３を使って説明する。
ドローイング（弓の引き分けの事）前には、センタースタビライザーと矢の方向は一直線を向いている。（静的なセンターショットが出ている）しかしこの弓が「動的なセンターショット」である保障は一切無い。実際に本発明者はこのような弓を使った事がある。もし図3のようにドローイング後にセンタースタビライザーが右を向くようであれば、グリップを右側にオフセットすることにより弓に掛かるトルクを左に向ける事になる。従って「動的なセンターショット」を得る事が出来る。
【００１６】
逆に向く場合であれば、逆の調整を行えば良い。
【００１７】
このトルクは弓固有の場合もあり、アーチャーのグリップに関する場合もある。いずれにしてもこのグリップオフセット技術を使うことで、初心者から上級者まで全てのアーチャーが「動的センターショット」を得る事が出来る。
【産業上の利用可能性】
【００１８】
アーチェリー及び拳銃のグリップ
【符号の説明】
【００１９】
１  ハンドル
２  グリップ
３  スペーサー１
４  スペーサー２
５  スペーサー３
６  センタースタビライザー
７  矢
８  リム
【図１】
2010261648.tif 000003
【図２】
2010261648.tif 000004
【図３】
2010261648.tif 000005